(57)【要約】【課題】施工現場に応じて形状を変更可能な軒樋を提供する。【解決手段】可撓部１を設けて軒樋Ａ形状に曲げ可能に形成してなる軒樋Ａであって、前側壁部２及び／又は後側壁部３には、前耳部２１及び／又は後耳部３１を高さ方向に複数個並設し、これら複数個の前耳部２１及び／又は後耳部３１が、前記可撓部１を介して一体形成したことを特徴とする軒樋。【選択図】図１
2010031603.tif 000002
【特許請求の範囲】
【請求項１】
可撓部を設けて軒樋形状に曲げ可能に形成してなる軒樋であって、
前側壁部及び／又は後側壁部には、前耳部及び／又は後耳部を高さ方向に複数個並設し、これら複数個の前耳部及び／又は後耳部が、前記可撓部を介して一体形成したことを特徴とする軒樋。
【請求項２】
請求項１において、
前耳部及び／又は後耳部が、折り曲げて止め可能にしている軒樋。
【発明の詳細な説明】
【技術分野】
【０００１】
本発明は、可撓部を設けて軒樋形状に曲げ可能に形成してなる軒樋に関する。
【背景技術】
【０００２】
一般に軒樋は、金属材又は合成樹脂材を長尺の断面略Ｕ状、凹状等に一体形成すると共に、前記軒樋の前側壁部及び後側壁部の上端には、各々前耳部及び後耳部を形成してなる（例えば、特許文献１参照）。
【０００３】
そして、この種の軒樋は、前記前耳部及び後耳部を専用の取付金具に掛止すると共に、前記取付金具を軒先等に固定して取付けてなる。
【特許文献１】特願２００１−２１９６４３
【発明の開示】
【発明が解決しようとする課題】
【０００４】
しかしながら、この種の軒樋は、押出成形等によって定型に形成されているため、例えば、現場状況に応じて軒樋の形状を変更できないという問題があった。
【０００５】
すなわち、この種の軒樋は、使用する形状が施工現場に応じて予め特定されており、この特定された軒樋に応じた前記取付金具も準備されている。
【０００６】
ところが、近年のデザイン化の進んだ住宅事情においては、施工現場において急遽使用する軒樋の形状を変更したいという要望もあり、その都度、前記軒樋を新たな形状の軒樋に変更しなければならないという問題があった。
【０００７】
本発明は、かかる課題を解決することを目的とし、施工現場に応じて形状を変更可能な軒樋を提供する。
【課題を解決するための手段】
【０００８】
前記目的を達成するため、
請求項１に係る軒樋は、可撓部を設けて軒樋形状に曲げ可能に形成してなる軒樋であって、前側壁部及び／又は後側壁部には、前耳部及び／又は後耳部を高さ方向に複数個並設し、これら複数個の前耳部及び／又は後耳部が、前記可撓部を介して一体形成したことを特徴とする。
【０００９】
請求項２に係る軒樋は、請求項１において、前耳部及び／又は後耳部が、折り曲げて止め可能にしている。
【発明の効果】
【００１０】
本発明によれば、次のような効果がある。
【００１１】
請求項１に係る軒樋によれば、前側壁部及び／又は後側壁部には、前耳部及び／又は後耳部を高さ方向に複数個並設し、これら複数個の前耳部及び／又は後耳部が、可撓部を介して一体形成してなるため、前記可撓部の位置で前側壁部及び／又は後側壁部を折り曲げることができ、前耳部及び／又は後耳部の高さ等、軒樋の形状を施工現場に応じて容易に変更できる。
【００１２】
請求項２に係る軒樋によれば、前耳部及び／又は後耳部が、折り曲げて止め可能にしているので、前耳部及び／又は後耳部の高さ等、変更した軒樋の形状を確実に維持することができる。
【発明を実施するための最良の形態】
【００１３】
以下、本発明に係る軒樋Ａを図面とともに説明する。
【実施例１】
【００１４】
図１は、本発明に係る軒樋Ａの一実施例を示す斜視図であり、（ａ）は、後側壁部を折り曲げる前の状態を示す斜視図であり、（ｂ）は、後側壁部を折り曲げた状態を示す斜視図である。
図２は、図１で示した軒樋Ａの断面図であり、（ａ）は、後側壁部を折り曲げる前の状態を示す断面図であり、（ｂ）は、後側壁部を折り曲げた状態を示す断面図である。
【００１５】
本発明の軒樋Ａは、可撓部１を設けて軒樋Ａ形状に曲げ可能に形成してなるものであって、軒樋Ａの前側壁部２及び／又は後側壁部３には、前耳部２１及び／又は後耳部３１を高さ方向に複数個並設し、これら複数個の前耳部２１及び／又は後耳部３１が、可撓部１を介して一体形成したことを特徴にしている。
【００１６】
なお、本実施例では、軒樋Ａの後側壁部３に、２個の後耳部３１、３１’が可撓部１を介して高さ方向に一体形成したものを例示して説明するが、これに限定されるものではなく、例えば、前側壁部２にのみ複数個の前耳部２１が可撓部１を介して高さ方向に並設して一体形成したもの、又は、前側壁部２及び後耳壁部３の双方に、複数個の前耳部２１及び後耳部３１が各々可撓部１を介して高さ方向に並設して一体形成することも可能である。
【００１７】
軒樋Ａは、既存手段によってプラスチック、塩化ビニル等の合成樹脂材や、アルミニウム、銅、ステンレス等の金属材等を長尺の断面略Ｕ状、凹状等に一体形成すると共に、前側壁部２及び後側壁部３の上端には、各々前耳部２１及び後耳部３１を形成してなる。
【００１８】
又、後側壁部３の後耳部３１の上端には、可撓部１が接着、溶着又は硬軟同時成形等によって連設され、可撓部１の上端には、更に、後耳部３１と略同形状の後耳部３１’を連設してなる。
【００１９】
可撓部１は、軟質樹脂材やゴム材等のような柔軟性を有するシート材や薄肉金属シート材、曲げ用溝付き金属材等を用い、高さ方向に連設された上位側の後耳部３１’が、図中矢印で示すように、可撓部１の位置で後側壁部３の内側に向けて折り曲げ可能にしている。
【００２０】
そのため、本実施例の軒樋Ａは、後側壁部３の高さ方向に並設した２個の後耳部３１、３１’が可撓部１を介して一体形成してなるため、可撓部１の位置で後側壁部３の上端である後耳部３１’を内側に折り曲げて、軒樋Ａの形状を容易に変更できる。
【００２１】
このように、本発明の軒樋Ａによれば、後側壁部３の上端である後耳部３１’を折り曲げないで専用の取付金具（不図示）に掛止して使用するか、又は、可撓部１の位置で後側壁部３の上端である後耳部３１’を内側に折り曲げて、軒樋Ａの形状を変更したうえで、並設された後耳部３１を専用の取付金具（不図示）に掛止して使用するかの何れかを、施工現場の状況に応じて容易に採択できるのである。
【実施例２】
【００２２】
図３（ａ）〜（ｃ）は、本発明に係る軒樋Ａの他の実施例を示す要部拡大断面図である。
【００２３】
なお、図１、図２と共通する部位には同一の符号を付し、以下では、本実施例の特徴についてのみ説明する。
【００２４】
ずなわち、本実施例で示した軒樋Ａは、可撓部１の位置で後側壁部３の上端である後耳部３１’を内側に折り曲げて、軒樋Ａの形状を変更した際、後耳部３１’が、折り曲げた位置で止め可能にした止具４を設けたものを例示している。
【００２５】
具体的には、図３（ａ）の止具４は、後耳部３１’を内側に折り曲げた際、後耳部３１’と後側壁部３との近接する部分に付着・離脱可能な粘着テープ等の粘着剤層を設けた所謂、貼着方式によるものを示している。
【００２６】
このような粘着方式による止具４を設けた雨樋Ａによれば、後耳部３１’を折り曲げた位置で容易に止めることができる。
【００２７】
図３（ｂ）の止具４は、後耳部３１’を内側に折り曲げた際、後耳部３１’と後側壁部３との近接する部分の一方に、凸状の係止部４１を突設すると共に、他方には、係止部４１を嵌合して係止可能な凹状の被係止部４２を設けた所謂、嵌合方式によるものを示している。
【００２８】
このような嵌合方式による止具４を設けた雨樋Ａによれば、後耳部３１’を折り曲げた位置で確実に止めることができる。
【００２９】
図３（ｃ）の止具４は、後耳部３１’を内側に折り曲げた際、折り曲げた可撓部１の上方から後耳部３１、３１’に被覆可能なクリップ等を設けた所謂、クリップ方式によるものを示している。
【００３０】
このようなクリップ方式による止具４を設けた雨樋Ａによれば、後耳部３１’を折り曲げた位置で簡単且つ確実に止めることができる。
【図面の簡単な説明】
【００３１】
【図１】本発明に係る軒樋Ａの一実施例を示す斜視図であり、（ａ）は、後側壁部を折り曲げる前の状態を示す斜視図であり、（ｂ）は、後側壁部を折り曲げた状態を示す斜視図である。
【図２】図１で示した軒樋Ａの断面図であり、（ａ）は、後側壁部を折り曲げる前の状態を示す断面図であり、（ｂ）は、後側壁部を折り曲げた状態を示す断面図である。
【図３】（ａ）〜（ｃ）は、本発明に係る軒樋Ａの他の実施例を示す要部拡大断面図である。
【符号の説明】
【００３２】
Ａ    軒樋
１    可撓部
２    前側壁部
２１  前耳部
３    後側壁部
３１、３１’ 後耳部
４    止具
【図１】
2010031603.tif 000003
【図２】
2010031603.tif 000004
【図３】
2010031603.tif 000005
【手続補正書】
【提出日】平成21年4月9日(2009.4.9)
【手続補正１】
【補正対象書類名】特許請求の範囲
【補正対象項目名】全文
【補正方法】変更
【補正の内容】
【特許請求の範囲】
【請求項１】
可撓部を設けて軒樋形状に曲げ可能に形成してなる軒樋であって、
前側壁部及び／又は後側壁部には、前耳部及び／又は後耳部を高さ方向に複数個並設し、これら複数個の前耳部及び／又は後耳部を、前記可撓部を介して一体形成したことを特徴とする軒樋。
【請求項２】
請求項１において、
前耳部及び／又は後耳部を、折り曲げて止め可能にしている軒樋。
【手続補正２】
【補正対象書類名】明細書
【補正対象項目名】０００８
【補正方法】変更
【補正の内容】
【０００８】
前記目的を達成するため、
請求項１に係る軒樋は、可撓部を設けて軒樋形状に曲げ可能に形成してなる軒樋であって、前側壁部及び／又は後側壁部には、前耳部及び／又は後耳部を高さ方向に複数個並設し、これら複数個の前耳部及び／又は後耳部を、前記可撓部を介して一体形成したことを特徴とする。
【手続補正３】
【補正対象書類名】明細書
【補正対象項目名】００１１
【補正方法】変更
【補正の内容】
【００１１】
請求項１に係る軒樋によれば、前側壁部及び／又は後側壁部には、前耳部及び／又は後耳部を高さ方向に複数個並設し、これら複数個の前耳部及び／又は後耳部を、可撓部を介して一体形成してなるため、前記可撓部の位置で前側壁部及び／又は後側壁部を折り曲げることができ、前耳部及び／又は後耳部の高さ等、軒樋の形状を施工現場に応じて容易に変更できる。
【手続補正４】
【補正対象書類名】明細書
【補正対象項目名】００１２
【補正方法】変更
【補正の内容】
【００１２】
請求項２に係る軒樋によれば、前耳部及び／又は後耳部を、折り曲げて止め可能にしているので、前耳部及び／又は後耳部の高さ等、変更した軒樋の形状を確実に維持することができる。
【手続補正５】
【補正対象書類名】明細書
【補正対象項目名】００１５
【補正方法】変更
【補正の内容】
【００１５】
本発明の軒樋Ａは、可撓部１を設けて軒樋Ａ形状に曲げ可能に形成してなるものであって、軒樋Ａの前側壁部２及び／又は後側壁部３には、前耳部２１及び／又は後耳部３１を高さ方向に複数個並設し、これら複数個の前耳部２１及び／又は後耳部３１を、可撓部１を介して一体形成したことを特徴にしている。
【手続補正６】
【補正対象書類名】明細書
【補正対象項目名】００１６
【補正方法】変更
【補正の内容】
【００１６】
なお、本実施例では、軒樋Ａの後側壁部３に、２個の後耳部３１、３１’を可撓部１を介して高さ方向に一体形成したものを例示して説明するが、これに限定されるものではなく、例えば、前側壁部２にのみ複数個の前耳部２１を可撓部１を介して高さ方向に並設して一体形成したもの、又は、前側壁部２及び後耳壁部３の双方に、複数個の前耳部２１及び後耳部３１を各々可撓部１を介して高さ方向に並設して一体形成することも可能である。
【手続補正７】
【補正対象書類名】明細書
【補正対象項目名】００１７
【補正方法】変更
【補正の内容】
【００１７】
軒樋Ａは、既存手段によって塩化ビニル樹脂等の合成樹脂材や、アルミニウム、銅、ステンレス等の金属材等を長尺の断面略Ｕ状、凹状等に一体形成すると共に、前側壁部２及び後側壁部３の上端には、各々前耳部２１及び後耳部３１を形成してなる。
【手続補正８】
【補正対象書類名】明細書
【補正対象項目名】００１９
【補正方法】変更
【補正の内容】
【００１９】
可撓部１は、軟質樹脂材やゴム材等のような柔軟性を有するシート材や薄肉金属シート材、曲げ用溝付き金属材等を用い、高さ方向に連設された上位側の後耳部３１’を、図中矢印で示すように、可撓部１の位置で後側壁部３の内側に向けて折り曲げ可能にしている。
【手続補正９】
【補正対象書類名】明細書
【補正対象項目名】００２０
【補正方法】変更
【補正の内容】
【００２０】
そのため、本実施例の軒樋Ａは、後側壁部３の高さ方向に並設した２個の後耳部３１、３１’を可撓部１を介して一体形成してなるため、可撓部１の位置で後側壁部３の上端である後耳部３１’を内側に折り曲げて、軒樋Ａの形状を容易に変更できる。
【手続補正１０】
【補正対象書類名】明細書
【補正対象項目名】００２４
【補正方法】変更
【補正の内容】
【００２４】
ずなわち、本実施例で示した軒樋Ａは、可撓部１の位置で後側壁部３の上端である後耳部３１’を内側に折り曲げて、軒樋Ａの形状を変更した際、後耳部３１’を、折り曲げた位置で止め可能にした止具４を設けたものを例示している。